(57)【特許請求の範囲】
【請求項１】
被検者により使用される第１の装置と、検者により使用される第２の装置とからなる、前記被検者の眼の検査を行う検査システムにおいて、
前記第１の装置または前記第２の装置に設けられ、眼の検査の為の検査データを生成する生成手段と、
前記第１の装置に設けられ、前記生成手段により生成された前記検査データに基づいて、前記被検者の操作によって移動するポインタで位置を指定するための目標となるターゲットと前記ポインタとを含む画像を、前記被検者の左眼に前記ターゲットと前記ポインタのうちのいずれか一方を見せ、他方を見せず、前記被検者の右眼に他方を見せ、一方を見せないように表示する第１の表示手段と、
前記第１の装置に設けられ、前記被検者からの前記ポインタの位置を指定する操作入力を受け付ける第１の操作入力受け付け手段と、
前記第２の装置に設けられ、前記ターゲットの位置と、前記第１の操作入力受け付け手段により受け付けられた操作入力によって指定された前記ポインタの位置との関係を示す文字または画像を表示する第２の表示手段と、
前記第２の装置に設けられ、前記検者からの操作入力を受け付ける第２の操作入力受け付け手段と
を備えることを特徴とする検査システム。
【請求項２】
前記第２の操作入力受け付け手段は、前記検者からの前記眼の検査の為のパラメータを受け付け、
前記生成手段は、前記第２の操作入力受け付け手段により受け付けられた前記パラメータに基づいて、前記検査データを生成する
ことを特徴とする請求項１に記載の検査システム。
【請求項３】
前記第１の装置または前記第２の装置に設けられ、前記ターゲットの位置と、前記第１の操作入力受け付け手段により受け付けられた操作入力によって指定された前記ポインタの位置との関係を示すデータを、検査結果のファイルとして記憶する記憶手段と、
前記第１の装置または前記第２の装置に設けられ、前記記憶手段に記憶された前記検査結果のファイルを検索する検索手段をさらに備える
ことを特徴とする請求項１に記載の検査システム。
【請求項４】
前記ポインタは、前記ターゲットに重なった場合、内側に位置する前記ターゲットを囲む形状である
ことを特徴とする請求項１に記載の検査システム。
【請求項５】
前記第２の操作入力受け付け手段は、前記第２の表示手段に表示させる画像の表示に関する、前記検者からの操作入力をさらに受け付け、
前記第２の表示手段は、前記第２の操作入力受け付け手段により受け付けられた操作入力に基づいて、前記ターゲットの位置と、前記第１の操作入力受け付け手段により受け付けられた操作入力によって指定された前記ポインタの位置との関係を示す文字または画像を表示する
ことを特徴とする請求項１に記載の検査システム。
【請求項６】
被検者により使用される第１の装置と、検者により使用される第２の装置とからなる、前記被検者の眼の検査を行う検査システムのプログラムであって、
眼の検査の為の検査データを生成する生成ステップと、
前記生成ステップの処理により生成された前記検査データに基づいて、前記被検者の操作によって移動するポインタで位置を指定するための目標となるターゲットと前記ポインタとを含む画像を、前記被検者の左眼に前記ターゲットと前記ポインタのうちのいずれか一方を見せ、他方を見せず、前記被検者の右眼に他方を見せ、一方を見せないように前記第１の装置への表示を制御する第１の表示制御ステップと、
前記被検者からの前記ポインタの位置を指定する前記第１の装置への操作入力を受け付ける第１の操作入力受け付けステップと、
前記ターゲットの位置と、前記操作入力受け付けステップの処理により受け付けられた操作入力によって指定された前記ポインタの位置との関係を示す文字または画像の前記第２の装置への表示を制御する第２の表示制御ステップと、
前記検者からの前記第２の装置への操作入力を受け付ける第２の操作入力受け付けステップと
を含む処理をコンピュータに実行させることを特徴とするプログラム。
【発明の詳細な説明】
【技術分野】
【０００１】
本発明は、検査システムおよびプログラムに関し、特に、眼の検査を定量的に行うことができるようにした検査システムおよびプログラムに関する。
【背景技術】
【０００２】
眼科で行われる眼科検査には、眼位検査と複像検査がある（例えば、非特許文献１参照）。
【０００３】
眼位検査は、左右の眼の位置が正常であるか否かを調べる為の検査である。眼位検査では、被検者の目前にペンライトなどの点光源をおいて、それを固視させることで、検者は斜視眼の角膜反射のずれを目測し、弧度で表し、検査を行う。
【０００４】
また、複像検査は、眼の外眼筋による眼球の運動が正常であるか否かを調べる為の検査である。複像検査では、被検者の頭部を顎台に固定し、例えば、図１に示されるように、被検者の前方の白色スクリーンに赤色の放射線状の升目を投影し、被検者の各眼の前に赤のガラス１１と緑のガラス１２を置く。被検者は、その赤のガラス１１と緑のガラス１２を通して、升目を見る。升目は１目盛り５度であり、正面中央と、正面中央から１５乃至３０度離れた縦横の升目の交叉点が丸で示されている。被検者は、右手で緑色の矢印を投影できる指示器を持ち、交叉点の丸に、順次、矢印の先が一致するように指示器を動かす。検者は、升目を印刷してある印刷紙上に、被検者が矢印で指示した位置を記入し、各測定点を線で結ぶことで、図１に示されるようなHessチャート１を生成する。赤と緑は、補色関係にあり、赤レンズ１１を通しては、赤の升目だけで緑の矢印が見えず、緑レンズ１２はその逆になる。赤レンズ１１の眼前に置いた側の眼で升目を見た場合、固視をすることになる。
【０００５】
図１のHessチャート１では、右眼で升目の白丸を固視した場合の、左眼が見ている場所を黒丸で示しており、１５度ごとにある白丸にそれぞれ対応する黒丸が線で結ばれている。このHessチャート１では、右眼で右方１５度を見た場合の左眼の視線がチャートからはみ出しており、検者は、右眼が異常であると判断する。このように、検者は、Hessチャート１に基づいて、検査の結果を出す。
【０００６】
【非特許文献１】「眼科検査法ハンドブック  第２版（第１８８頁乃至１９２頁、並びに第２０７頁２０９頁）」、編集  丸尾敏夫、松井瑞夫、小口芳久、湖崎克、医学書院、１９９７年７月１日発行
【発明の開示】
【発明が解決しようとする課題】
【０００７】
しかしながら、これらの眼科検査において、検査結果をまとめる場合、検者が手書きでまとめなければならず、非常に手間がかかるという課題があった。例えば、Hessチャート１を生成する場合においても、検者は、被検者が指示した点をチャートに手書きで書き込むことで生成しなければならず、非常に手間がかかる。
【０００８】
また、検査結果が定性的なものでしかなく、定量化できないという課題があった。
【０００９】
本発明はこのような状況に鑑みてなされたものであり、眼科検査を定量化できるようにするものである。
【課題を解決するための手段】
【００１０】
本発明の検査システムは、被検者により使用される第１の装置と、検者により使用される第２の装置とからなる、被検者の眼の検査を行う検査システムであって、第１の装置または第２の装置に設けられ、眼の検査の為の検査データを生成する生成手段と、第１の装置に設けられ、生成手段により生成された検査データに基づいて、被検者の操作によって移動するポインタで位置を指定するための目標となるターゲットとポインタとを含む画像を、被検者の左眼にターゲットとポインタのうちのいずれか一方を見せ、他方を見せず、被検者の右眼に他方を見せ、一方を見せないように表示する第１の表示手段と、第１の装置に設けられ、被検者からのポインタの位置を指定する操作入力を受け付ける第１の操作入力受け付け手段と、第２の装置に設けられ、ターゲットの位置と、第１の操作入力受け付け手段により受け付けられた操作入力によって指定されたポインタの位置との関係を示す文字または画像を表示する第２の表示手段と、第２の装置に設けられ、検者からの操作入力を受け付ける第２の操作入力受け付け手段とを備えることを特徴とする。
【００１１】
第２の操作入力受け付け手段は、検者からの眼の検査の為のパラメータを受け付け、生成手段は、第２の操作入力受け付け手段により受け付けられたパラメータに基づいて、検査データを生成するものとすることができる。
【００１２】
第１の装置または第２の装置に設けられ、ターゲットの位置と、第１の操作入力受け付け手段により受け付けられた操作入力によって指定されたポインタの位置との関係を示すデータを、検査結果のファイルとして記憶する記憶手段と、第１の装置または第２の装置に設けられ、記憶手段に記憶された検査結果のファイルを検索する検索手段をさらに備えるものとすることができる。
【００１３】
ポインタは、ターゲットに重なった場合、内側に位置するターゲットを囲む形状であるものとすることができる。
【００１４】
第２の操作入力受け付け手段は、第２の表示手段に表示させる画像の表示に関する、検者からの操作入力をさらに受け付け、第２の表示手段は、第２の操作入力受け付け手段により受け付けられた操作入力に基づいて、ターゲットの位置と、第１の操作入力受け付け手段により受け付けられた操作入力によって指定されたポインタの位置との関係を示す文字または画像を表示するものとすることができる。
【００１５】
本発明のプログラムは、被検者により使用される第１の装置と、検者により使用される第２の装置とからなる、被検者の眼の検査を行う検査システムのプログラムであって、眼の検査の為の検査データを生成する生成ステップと、生成ステップの処理により生成された検査データに基づいて、被検者の操作によって移動するポインタで位置を指定するための目標となるターゲットとポインタとを含む画像を、被検者の左眼にターゲットとポインタのうちのいずれか一方を見せ、他方を見せず、被検者の右眼に他方を見せ、一方を見せないように第１の装置への表示を制御する第１の表示制御ステップと、被検者からのポインタの位置を指定する第１の装置への操作入力を受け付ける第１の操作入力受け付けステップと、ターゲットの位置と、操作入力受け付けステップの処理により受け付けられた操作入力によって指定されたポインタの位置との関係を示す文字または画像の第２の装置への表示を制御する第２の表示制御ステップと、検者からの第２の装置への操作入力を受け付ける第２の操作入力受け付けステップとを含む処理をコンピュータに実行させることを特徴とする。
【００１６】
本発明においては、第１の装置または第２の装置で、眼の検査の為の検査データが生成され、生成された検査データに基づいて、被検者の操作によって移動するポインタで位置を指定するための目標となるターゲットとポインタとを含む画像が、被検者の左眼にターゲットとポインタのうちのいずれか一方を見せ、他方を見せず、被検者の右眼に他方を見せ、一方を見せないように第１の装置に表示され、被検者からのポインタの位置を指定する操作入力が第１の装置で受け付けられ、ターゲットの位置と、操作入力によって指定されたポインタの位置との関係を示す文字または画像が第２の装置に表示され、検者からの操作入力が第２の装置で受け付けられる。
【発明の効果】
【００１７】
本発明によれば、眼科検査を定量的に行うことができる。特に、本発明によれば、迅速に、かつ、定量的な検査結果を得ることができる。
【発明を実施するための最良の形態】
【００１８】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認する為のものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１９】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００２０】
請求項１に記載の検査システム（例えば、図２の検査システム２０）は、被検者により使用される第１の装置（例えば、図５の操作入力部２０１と表示部２０４を備える装置）と、検者により使用される第２の装置（例えば、図４の操作入力部１５１と表示部１５６を備える装置）とからなる、前記被検者の眼の検査を行う検査システム（例えば、図２の検査システム２０）であって、前記第１の装置または前記第２の装置に設けられ、眼の検査の為の検査データを生成する生成手段（例えば、図８のステップＳ３４の処理を実行する図４の複像検査処理部１７２、または図１９のステップＳ１２４の処理を実行する図４の眼位検査処理部１８２）と、前記第１の装置に設けられ、前記生成手段により生成された前記検査データに基づいて、前記被検者の操作によって移動するポインタで位置を指定するための目標となるターゲットと前記ポインタとを含む画像を、前記被検者の左眼に前記ターゲットと前記ポインタのうちのいずれか一方を見せ、他方を見せず、前記被検者の右眼に他方を見せ、一方を見せないように表示する第１の表示手段（例えば、図１５のステップＳ７２の処理を実行する図５の表示部２０４）と、前記第１の装置に設けられ、前記被検者からの前記ポインタの位置を指定する操作入力を受け付ける第１の操作入力受け付け手段（例えば、図１５のステップＳ７４の処理を実行する図５の操作入力部２０１）と、前記第２の装置に設けられ、前記ターゲットの位置と、前記第１の操作入力受け付け手段により受け付けられた操作入力によって指定された前記ポインタの位置との関係を示す文字または画像を表示する第２の表示手段（例えば、図９のステップＳ４３、図１９のステップＳ１３２、または図２０のステップＳ１３８の処理を実行する図４の表示部１５６）と、前記第２の装置に設けられ、前記検者からの操作入力を受け付ける第２の操作入力受け付け手段（例えば、図４の操作入力部１５１）とを備えることを特徴とする。
【００２１】
請求項２に記載の検査システムの前記第２の操作入力受け付け手段は、前記検者からの前記眼の検査の為のパラメータを受け付け（例えば、図８のステップＳ３１、図１７のステップＳ９３、または図１９のステップＳ１２１）、前記生成手段は、前記第２の操作入力受け付け手段により受け付けられた前記パラメータに基づいて、前記検査データを生成することを特徴とする。
【００２２】
請求項３に記載の検査システムは、前記第１の装置または前記第２の装置に設けられ、前記ターゲットの位置と、前記第１の操作入力受け付け手段により受け付けられた操作入力によって指定された前記ポインタの位置との関係を示すデータを、検査結果のファイルとして記憶する記憶手段（例えば、図９のステップＳ４７、図２０のステップＳ１４２の処理を実行する図４のファイル記憶部１５７）と、前記第１の装置または前記第２の装置に設けられ、前記記憶手段に記憶された前記検査結果のファイルを検索する検索手段（例えば、図６のステップＳ１７の処理を実行する図４のファイル検索部１５８）をさらに備えることを特徴とする。
【００２３】
請求項４に記載の検査システムの前記ポインタ（例えば、図１６のポインタ６５１）は、前記ターゲット（例えば、図１６のターゲット６６１）に重なった場合、内側に位置する前記ターゲットを囲む形状である（例えば、図１６のポインタ６５１は、内側に位置する四角いターゲット６６１を囲む、丸の形状である）ことを特徴とする。
【００２４】
請求項５に記載の検査システムの前記第２の操作入力受け付け手段は、前記第２の表示手段に表示させる画像の表示に関する、前記検者からの操作入力をさらに受け付け（例えば、図９のステップＳ４２）、前記第２の表示手段は、前記第２の操作入力受け付け手段により受け付けられた操作入力に基づいて、前記ターゲットの位置と、前記第１の操作入力受け付け手段により受け付けられた操作入力によって指定された前記ポインタの位置との関係を示す文字または画像を表示する（例えば、図９のステップＳ４３の処理で、図１３に示されるような検査結果を表示する）ことを特徴とする。
【００２５】
請求項６に記載のプログラムは、被検者により使用される第１の装置（例えば、図５の操作入力部２０１と表示部２０４を備える装置）と、検者により使用される第２の装置（例えば、図４の操作入力部１５１と表示部１５６を備える装置）とからなる、前記被検者の眼の検査を行う検査システム（例えば、図２の検査システム２０）のプログラムであって、眼の検査の為の検査データを生成する生成ステップ（例えば、図８のステップＳ３４または図１９のステップＳ１２４）と、前記生成ステップの処理により生成された前記検査データに基づいて、前記被検者の操作によって移動するポインタで位置を指定するための目標となるターゲットと前記ポインタとを含む画像を、前記被検者の左眼に前記ターゲットと前記ポインタのうちのいずれか一方を見せ、他方を見せず、前記被検者の右眼に他方を見せ、一方を見せないように前記第１の装置への表示を制御する第１の表示制御ステップ（例えば、図１５のステップＳ７２）と、前記被検者からの前記ポインタの位置を指定する前記第１の装置への操作入力を受け付ける第１の操作入力受け付けステップ（例えば、図１５のステップＳ７４）と、前記ターゲットの位置と、前記操作入力受け付けステップの処理により受け付けられた操作入力によって指定された前記ポインタの位置との関係を示す文字または画像の前記第２の装置への表示を制御する第２の表示制御ステップ（例えば、図９のステップＳ４３、図１９のステップＳ１３２、または図２０のステップＳ１３８）と、前記検者からの前記第２の装置への操作入力を受け付ける第２の操作入力受け付けステップ（例えば、図８のステップＳ３１）とを含む処理をコンピュータに実行させることを特徴とする。
【００２６】
以下、図を参照して、本発明の実施の形態について説明する。
【００２７】
図２は、本発明を適用した検査システムの外観の構成を示す図である。この検査システム２０は、主に、検者用検査装置３１および被検者用検査装置３２により構成される。
【００２８】
検者用検査装置３１は、検者が検査の為に使用する装置であり、被検者用検査装置３２は、被検者（以下、患者とも称する）が検査の為に使用する装置である。検者用検査装置３１と被検者用検査装置３２は、ケーブル３３を介して接続されており、互いにデータを授受する。このケーブル３３は、例えば、イーサネット（登録商標）ケーブルである。
【００２９】
検者用検査装置３１にはまた、ケーブル３５（例えば、USB（Universal Serial Bus）ケーブル）を介してプリンタ３４が接続されており、プリンタ３４は、検者用検査装置３１からのデータに基づく画像や文書を紙に印刷する。
【００３０】
この検査システム２０においては、検者用検査装置３１が、検者の指令に基づいて、眼位検査や複像検査を行う為の検査データを生成し、ケーブル３３を介して被検者用検査装置３２に送信する。被検者用検査装置３２は、受信した検査データに基づいてターゲットとポインタを表示部に表示する。ポインタは、被検者の操作によって移動し、ターゲットは、そのポインタで位置を指定するための目標となるものである。被検者は、被検者用検査装置３２の表示部に表示されたターゲットを、ポインタが重なるようにマウス５１に対して操作を入力し（クリックの操作を行い）、ポインタの位置を指定する。被検者用検査装置３２は、操作入力によって指定されたポインタの位置を示す操作入力データを検者用検査装置３１に送信し、検者用検査装置３１は、ターゲットの位置と、指定されたポインタの位置との関係を示す文字または画像を検査結果として表示部に表示する。そして、検者用検査装置３１は、検者からの指令に基づいて、検査結果を表示したり、ファイルとして保存したり、プリンタ３４で印刷する。これにより、被検者は、検査結果を判断する。
【００３１】
図３は、検者用検査装置３１の構成例を示すブロック図である。
【００３２】
CPU（Central Processing Unit）８１、ROM（Read Only Memory）８２、およびRAM(Random Access Memory)８３は、内部バス８４を介して相互に接続されている。この内部バス８４にはまた、入出力インターフェース８５も接続されている。
【００３３】
CPU８１は、ROM８２に記憶されているプログラム、または、記憶部８８からRAM８３にロードされたプログラムに従って各種の処理を実行する。RAM８３にはまた、CPU８１が各種の処理を実行する上において必要なデータなどが適宜記憶される。
【００３４】
入出力インターフェース８５には、キーボード、マウスなどよりなる入力部８６、CRT，LCD（Liquid Crystal Display）、スピーカなどよりなる出力部８７、ハードディスクなどより構成される記憶部８８、モデム、ターミナルアダプタなどより構成される通信部８９が接続されている。通信部８９は、電話回線やCATVを含む各種のネットワークを介しての通信処理を行う。
【００３５】
入出力インターフェース８５にはまた、必要に応じてドライブ９０が接続され、磁気ディスク、光ディスク、光磁気ディスク、あるいは半導体メモリなどよりなるリムーバブルメディア１０１が適宜装着され、それから読み出されたコンピュータプログラムが、必要に応じて記憶部８８にインストールされる。
【００３６】
図３の検者用検査装置３１の構成は、例えば、パーソナルコンピュータとされる。また、被検者用検査装置３２の構成も図３の検者用検査装置３１の構成と同様なパーソナルコンピュータであるので、その構成例の説明については省略する。
【００３７】
図４は、図２の検者用検査装置３１の機能的構成例を示すブロック図である。
【００３８】
検者用検査装置３１には、操作入力部１５１、主制御部１５２、複像検査部１５３、眼位検査部１５４、表示制御部１５５、表示部１５６、ファイル記憶部１５７、ファイル検索部１５８、検査データ送信部１５９、検査データ受信部１６０、および印刷データ送信部１６１が設けられている。
【００３９】
操作入力部１５１は、検者からの操作入力を受け付ける。主制御部１５２は、複像検査部１５３、眼位検査部１５４、表示制御部１５５、ファイル記憶部１５７、ファイル検索部１５８、検査データ送信部１５９、検査データ受信部１６０、および印刷データ送信部１６１の各部を制御する。
【００４０】
複像検査部１５３は、眼の外眼筋による眼球の運動が正常であるか否かを調べる為の検査である複像検査を行う為の処理部である。複像検査部１５３には、パラメータ処理部１７１および複像検査処理部１７２が設けられており、複像検査部１５３内部では、それぞれデータの授受が可能である。パラメータ処理部１７１は、複像検査の為の各種のパラメータを処理し、複像検査処理部１７２は、パラメータ処理部１７１により処理されるパラメータを用いて複像検査の為の処理を実行する。例えば、複像検査処理部１７２は、パラメータに基づいて複像検査データを生成する。
【００４１】
眼位検査部１５４は、左右の眼の位置が正常であるか否かを調べる為の検査である眼位検査を行う為の処理部である。眼位検査部１５４には、パラメータ処理部１８１および眼位検査処理部１８２が設けられており、眼位検査部１５４内部では、それぞれデータの授受が可能である。パラメータ処理部１８１は、眼位検査の為の各種のパラメータを処理し、眼位検査処理部１８２は、パラメータ処理部１８１により処理されるパラメータを用いて眼位検査の為の処理を実行する。例えば、眼位検査処理部１８２は、パラメータに基づいて眼位検査データを生成する。
【００４２】
表示制御部１５５は、表示部１５６に所定の画像データに基づく画像を表示させるよう制御する。表示部１５６は、表示制御部１５５からの制御に基づいて、画像を表示する。ファイル記憶部１５７は、検査結果のファイルを記憶する。ファイル検索部１５８は、ファイル記憶部１５７に記憶されている検査結果のファイルを検索する。検査データ送信部１５９は、主制御部１５２からの制御に基づいて、検査を行う為の検査データを送信する。検査データ受信部１６０は、主制御部１５２からの制御に基づいて、検査を行う為の検査データを受信する。具体的には、検査データ送信部１５９は、被検者用検査装置３２に表示させる為の検査データを送信し、検査データ受信部１６０は、被検者用検査装置３２に被検者により入力された入力データを受信する。
【００４３】
印刷データ送信部１６１は、主制御部１５２からの制御に基づいて、印刷する為のデータである印刷データを送信する。例えば、印刷データ送信部１６１は、印刷データをプリンタ３４に対して送信する。プリンタ３４は、印刷データに基づいて紙に画像や文書を印刷する。
【００４４】
図４の検者用検査装置３１では、パラメータ設定、ターゲット（後述する四角い枠）およびポインタ（カーソル（後述する丸い枠））の提示としての検査データの生成、表示、印刷、データの保存などの処理が行われる。
【００４５】
図５は、図２の被検者用検査装置３２の機能的構成例を示すブロック図である。
【００４６】
被検者用検査装置３２には、操作入力部２０１、主制御部２０２、表示制御部２０３、表示部２０４、ファイル記憶部２０５、データ受信部２０６、およびデータ送信部２０７が設けられている。
【００４７】
操作入力部２０１は、検者からの操作入力を受け付ける。この操作入力部２０１は、例えば、図２のマウス５１である。主制御部２０２は、操作入力部２０１、表示制御部２０３、ファイル記憶部２０５、データ受信部２０６、およびデータ送信部２０７の各部を制御する。
【００４８】
表示制御部２０３は、表示部２０４に所定の画像データに基づく画像を表示させるよう制御する。表示部２０４は、表示制御部２０３からの制御に基づいて、画像（例えば、ターゲットとポインタ）を表示する。ファイル記憶部２０５は、検査結果のファイルを記憶する。データ受信部２０６は、主制御部２０２からの制御に基づいて、供給されたデータを受信する。データ送信部２０７は、主制御部２０２からの制御に基づいて、データを送信する。例えば、データ受信部２０６は、検者用検査装置３１から供給された検査データを受信し、データ送信部２０７は、被検者により入力された検査の為の入力データを送信する。
【００４９】
なおここでは、被検者側の表示部２０４としては、例えば、液晶ディスプレイを用いることができる。また、操作入力部２０１がマウス５１であるようにしたが、これに限らず、トラックボール、ジョイスティック、スライドパット（いずれも商標）などのポインティングデバイスであってもよい。
【００５０】
図５の被検者用検査装置３２では、検者用検査装置３１から供給されたターゲット（後述する四角い枠）およびポインタ（カーソル）の位置データに基づいて、表示が行われ、操作入力部２０１に入力された被検者からの操作入力に基づいてポインタの位置が操作入力データとして送信される。
【００５１】
次に、図６のフローチャートを参照して、図４の検者用検査装置３１における検査処理を説明する。なお、この処理は、検者により検査を開始する指令が、操作入力部１５１に入力されたとき開始される。
【００５２】
ステップＳ１１において、表示部１５６は、初期画面を表示する。具体的には、主制御部１５２は、検査の為の初期画面のデータをファイル記憶部１５７から読み出し、これを表示制御部１５５に供給する。表示制御部１５５は、初期画面のデータに基づく画像を表示部１５６に表示させるよう制御する。表示部１５６は、例えば、図７に示されるような初期画面を表示する。
【００５３】
図７は、初期画面の画面例である。表示部１５６には、「実行するタスクを選択してください」という説明文とともに、複像検査と表示されたボタン３０１、眼位検査と表示されたボタン３０２、ファイル検索と表示されたボタン３０３、および終了と表示されたボタン３０４が表示されている。また、ボタン３０３の下には、複像検査、眼位検査というコメント３０５が表示されている。このコメント３０５は、ファイル検索で、複像検査と眼位検査のファイルを行うことが可能であることを示している。検者は、操作入力部１５１に所定の操作を入力することで、各ボタン３０１乃至３０４を選択する。ボタン３０１が選択された場合、図８と図９を参照して後述する複像検査が行われ、ボタン３０２が選択された場合、図１９と図２０を参照して後述する眼位検査が行われ、ボタン３０３が選択された場合、図６の後述するステップＳ１７のファイル検索処理が行われ、ボタン３０４が選択された場合、処理が終了される。
【００５４】
図６に戻って、ステップＳ１２において、主制御部１５２は、複像検査をするか否かを判定する。具体的には、主制御部１５２が、図７の初期画面において、複像検査のボタン３０１が検者により（操作入力部１５１を介して）選択されたか否かを判定する。複像検査をする、すなわち、複像検査のボタン３０１が選択されたと判定された場合、処理はステップＳ１３に進み、複像検査部１５３は、複像検査処理を実行する。この処理の詳細は、図８および図９を参照して後述する。ステップＳ１２において、複像検査をしない、すなわち、図７の初期画面において眼位検査のボタン３０２、ファイル検索のボタン３０３、または終了のボタン３０４が選択されたと判定された場合、処理はステップＳ１４に進む。
【００５５】
ステップＳ１４において、主制御部１５２は、眼位検査をするか否かを判定する。具体的には、主制御部１５２が、図７の初期画面において、眼位検査のボタン３０２が検者により（操作入力部１５１を介して）選択されたか否かを判定する。眼位検査をする、すなわち、眼位検査のボタン３０２が選択されたと判定された場合、処理はステップＳ１５に進み、眼位検査部１５４は、眼位検査処理を実行する。この処理の詳細は、図１９および図２０を参照して後述する。ステップＳ１４において、眼位検査をしない、すなわち、図７の初期画面においてファイル検索のボタン３０３または終了のボタン３０４が選択されたと判定された場合、処理はステップＳ１６に進む。
【００５６】
ステップＳ１６において、主制御部１５２は、ファイル検索をするか否かを判定する。具体的には、主制御部１５２が、図７の初期画面において、ファイル検索のボタン３０３が検者により（操作入力部１５１を介して）選択されたか否かを判定する。ファイル検索をする、すなわち、ファイル検索のボタン３０３が選択されたと判定された場合、処理はステップＳ１７に進み、ファイル検索部１５８は、ファイル検索処理を実行する。具体的には、表示部１５６が、検索する検査名（複像検査または眼位検査）やキーワード（例えば、被検者名、被検者ＩＤ、検査日時）を入力させる画面を表示し、これに対する検者からの操作入力部１５１への入力に基づいて、ファイル検索部１５８が、ファイル記憶部１５７に記憶されているファイルを検索する。これにより、検査結果のファイルを検索し、読み出すことができる。
【００５７】
ステップＳ１６においてファイルを検索しないと判定された場合、ステップＳ１８において、主制御部１５２は、処理を終了するか否かを判定する。具体的には、主制御部１５２が、図７の初期画面において、終了のボタン３０４が検者により（操作入力部１５１を介して）選択されたか否かを判定する。ステップＳ１８において処理を終了しないと判定された場合、ステップＳ１３の処理の後、ステップＳ１５の処理の後、またはステップＳ１７の処理の後、処理はステップＳ１１に戻り、それ以降の処理が繰り返される。すなわち、図７の初期画面が表示され、再度、選択されたボタンに対する処理が行われる。
【００５８】
ステップＳ１８において、処理を終了する、すなわち、終了のボタン３０４が選択されたと判定された場合、処理は終了される。
【００５９】
図６の処理により、検者からの要求に基づいて、複像検査処理、眼位検査処理、およびファイル検索処理が行われる。
【００６０】
次に、図８と図９のフローチャートを参照して、図６のステップＳ１３の複像検査処理について説明する。複像検査は、被検者の頭の位置を固定し、被検者の左眼の前に赤色のガラス（レンズ）または緑色のガラスのうちの一方の色のガラスが割り当てられ、右眼の前に他方が割り当てられたメガネ（レンズの色は左右どちらでもよいが、例えば、左眼に緑色のガラスが割り当てられ、右眼に赤色のガラスが割り当てられたメガネ）またはキャップ型のメガネを装着し、被検者の前方の（被検者用検査装置３２の）表示部２０４の所定の位置（例えば、９カ所）に赤色の四角い枠（以下、ターゲットとも称する）を順次表示し、被検者にその赤色の四角枠が見える位置を、緑色の丸枠のポインタで（マウス５１を操作して）重ねるように選択させることにより行う。
【００６１】
ステップＳ３１において、操作入力部１５１は、検者からのパラメータの入力を受け付ける。例えば、検者は、被検者の被検者ＩＤ、被検者氏名、検査する眼の選択（右側または左側）などをパラメータとして操作入力部１５１に入力する。操作入力部１５１により受け付けられたパラメータは、主制御部１５２を介して複像検査部１５３のパラメータ処理部１７１に供給される。
【００６２】
ステップＳ３２において、パラメータ処理部１７１は、検者により必須パラメータが全て入力されたか否かを判定する。例えば、後述する図１０の入力欄３５２、３５３（被検者ＩＤと被検者氏名）、および検査側のオプションボタン３６０のチェックが必須パラメータであるので、パラメータ処理部１７１は、これらの必須パラメータが検者により全て入力されたか否かを判定する。必須パラメータが全て入力されていないと判定された場合、処理はステップＳ３１に戻り、それ以降の処理が繰り返される。
【００６３】
ステップＳ３２において、必須パラメータが全て入力されたと判定された場合、処理はステップＳ３３に進み、表示部１５６は、複像検査部１５３の複像検査処理部１７２を介する画像データに基づいて、図１０に示されるような検査画面を表示する。すなわち、検査を開始することになる。
【００６４】
図１０の表示部１５６の中央には、検査結果を示す為の枠３５０が表示されており、この場合、枠３５０の中にはＲ（右）、Ｌ（左）、Ｕ（上）、Ｄ（下）を表す軸と、角度を示す数値が表示されている。また、図１０の上部には、２００４年１月２１日と表示された検査日３５１、被検者ＩＤを入力する入力欄３５２、被検者指名を入力する氏名欄３５３、および、確認と表示されたボタン３５４が表示されている。さらに、表示部１５６の左側には、検査する眼を選択する左眼、右眼と表示されたオプションボタン３６０、検査開始と表示されたボタン３７０、戻ると表示されたボタン３７１、検査中断と表示されたボタン３７２、結果表示と表示されたボタン３７３、印刷と表示されたボタン３７４、保存と表示されたボタン３７５、終了と表示されたボタン３７６、および条件設定と表示されたボタン３７７が表示されている。ボタン３５４、３７０、３７３乃至３７７は、現在検者によって選択できない項目であるので破線で表示されており、ボタン３７１，３７２は、現在検者によって選択できる項目であるので実線で表示されている（以下同様）。また、図１０の枠３５０の中に、被検者用検査装置３２の操作入力部２０１によって操作され、移動されるポインタ３８０が表示されている。
【００６５】
検者は、上述したステップＳ３１で、被検者ＩＤ（ａａａ）の入力欄３５２、被検者氏名（山田一郎）の入力欄３５３、および検査側のオプションボタン３６０の右眼または左眼（この場合、左眼）にパラメータを入力したので、図１０には、そのパラメータに基づく表示がなされている。
【００６６】
なお、図１０においては、チャートの座標を角度スケールで表示している（縦軸と横軸の単位が角度になっている）。従来のHessチャートでは、チャートの座標を長さスケールとし、角度を示すグリットを非等間隔の曲線としていたが、本実施の形態では、長さスケールを角度スケールに変換し、チャートのグリットを等間隔の直線にしている。このことは、本来、眼球の動きは回転運動であり、長さではなく、角度で記述されるものであることによる。なお、図１０に示されるようにスケール変換をせず、従来のHessチャートと同じように長さスケールで表示を行うようにしてもよい。
【００６７】
また、本実施の形態では、検査可能な視野範囲を、例えば、上下左右ともに−３５度乃至＋３５度としている。これは、被検者用検査装置３２の表示部（後述する図５の表示部２０４）の大きさや表示部から被検者までの距離によって変化される値であるので、適宜変更するようにしてもよいし、固定するようにしてもよい。
【００６８】
ステップＳ３４において、複像検査部１５３の複像検査処理部１７２は、検査の為の検査データを生成する。この検査データは、複像検査を行うために、被検者用検査装置３２の表示部２０４にターゲット（四角い枠）と、ポインタを表示させる為のデータであり、例えば、ターゲットの色、大きさ、および位置と、ポインタの色および大きさとを指定するようなデータである（ポインタの位置は、被験者用検査装置３２の操作入力部２０１への操作により移動するため含まれない）。この検査の為の検査データは、複像検査処理部１７２が、パラメータ処理部１７１で処理されたパラメータに基づいて（被検者に特有の情報に基づいて）、新たに生成するデータであってもよい。また、検査データは、あらかじめ複像検査の為のデータとして生成され、記憶されているものであってもよい。さらに、この検査データは、後述する条件設定処理によって設定された条件に基づいて、生成されてもよい。例えば、検査データは、複像検査として９カ所の位置を順次表示させるようなデータであり、１番目の位置を表示させる為の１番目の検査データ乃至９番目の位置を表示させる為の９番目の検査データからなる。
【００６９】
ステップＳ３５において、検査データ送信部１５９は、複像検査処理部１７２により生成された検査の為の検査データを送信する。具体的には、ステップＳ３４の処理で生成された検査データに含まれるターゲットの画像データが、９カ所の位置を順次表示させるようなデータであった場合、検査データ送信部１５９は、最初の１カ所の位置のターゲットとポインタの画像を表示させる為の１番目の検査データを、ケーブル３３を介して被検者用検査装置３２に送信する。すなわち、検査データ送信部１５９は、ステップＳ３４の処理で生成された検査データの一部を被検者用検査装置３２に送信する。
【００７０】
これに対して、被検者用検査装置３２はこの１番目の検査データを受信し、表示部２０４に１番目の検査データに基づく画像を表示する。複像検査の場合、例えば、９カ所の位置を順次赤色の四角枠（ターゲット）で示し、被検者が緑色の丸枠（ポインタ）で四角枠に重なった点でクリックすることで検査が行われるので、１番目の検査データは、右に１０度、上に１０度の位置（以下、このような状態を（Ｒ，Ｕ）＝（１０，１０）と記述する）の赤色の四角枠を表示させる為のデータである。またこのとき、被検者は、左眼で緑色のレンズを介して表示部２０４を見ており、右眼で赤色のレンズを介して表示部２０４を見ている。そして、被検者は、表示部２０４に表示された１番目の検査データに基づく表示である赤色のターゲット（四角枠）に、操作入力部２０１の移動に伴い移動するポインタ（丸枠）３８０が重なって見えた点でクリック（ポインタの位置を指定）する。被検者の見え方として、ポインタ（丸枠）がターゲット（四角枠）に重なった場合には、ポインタの図形（この場合、丸の形の図形）がターゲット（四角枠）を囲むことになる。これにより、ターゲットに対するポインタ（丸枠）の位置を精密に決定することができる。この被検者により被検者用検査装置３２の操作入力部２０１に操作入力された操作入力データ（この場合、被写体が操作入力部２０１をクリックした位置（指定されたポインタの位置）を示すデータ（以下、１番目の操作入力データと称する））は、データ送信部２０７を介して検者用検査装置３１に供給される。
【００７１】
そこで、ステップＳ３６において、検査データ受信部１６０は、被検者用検査装置３２から操作入力データ（指定されたポインタの位置、すなわち、クリックされた時点のポインタの位置を示す操作入力データ）が送信されてきたか否かを判定し、送信されてくるまで待機する。被検者用検査装置３２から操作入力データが送信されてきたと判定された場合、処理はステップＳ３７に進み、検査データ受信部１６０は、被検者用検査装置３２からの操作入力データ（１回目のステップＳ３６の処理では、１番目の検査データに対する１番目の操作入力データ）を受信する。受信された操作入力データは、主制御部１５２を介して複像検査処理部１７２に供給される。複像検査処理部１７２は、この操作入力データに対する画像を、表示制御部１５５を介して表示部１５６に図１１に示されるような画面を表示させる。図中、図１０と対応する部分についでは同一の符号を付してあり、その説明は繰り返しになるので省略する。
【００７２】
図１１において、バツ印表示された点４０１乃至４０５は、被検者により指定されたポインタの位置、すなわち、クリックされた時点における丸枠のポインタ３８０の中心を示す点を表しており、四角枠４１６乃至４１９は、まだ被検者によって選択されていないカ所、すなわち、これから被検者用検査装置３２に送信され、表示されるカ所に対応する点を示している。図１１の場合、４０１乃至４０５の５カ所が既に被検者により選択されているので、ステップＳ３５乃至ステップＳ３８の処理が５回繰り返されたことを示している。
【００７３】
ステップＳ３８において、複像検査処理部１７２は、検査が全て終了したか否かを判定する。具体的には、複像検査処理部１７２は、ステップＳ３４で生成した９カ所分の位置を表す検査データ（１番目の検査データ乃至９番目の検査データからなる検査データ）を全て送信し、それに対する操作入力データ（１番目の操作入力データ乃至９番目の操作入力データ）を全て受信し終えたか否かを判定する。検査がまだ終了していないと判定された場合、ステップＳ３５に戻り、それ以降の処理が繰り返される。具体的には、２番目乃至９番目の検査データが順次（検査データの一部が順次）送信され、それに対して被検者用検査装置３２に入力された２番目乃至９番目の操作入力データが受信され、その結果が表示される。これにより、９カ所全てが被検者により操作入力（選択）された為、９カ所のバツ印の点が表示される（後述する図１２のバツ印で表示された点４０１乃至４０９参照）。
【００７４】
ステップＳ３８において、検査が全て終了したと判定された場合、ステップＳ３９において、複像検査処理部１７２は、被検者用検査装置３２に検査の終了を指令する。具体的には、複像検査処理部１７２は、検査データ送信部１５９を介して、複像検査処理部１７２による検査終了を指令するデータを被検者用検査装置３２に送信する。被検者用検査装置３２は、これを受信し、処理を終了する（後述する図１５のステップＳ７６）。その後、表示部１５６は、複像検査処理部１７２からの指令に基づいて、例えば、図１１の結果表示と表示されたボタン３７３、印刷と表示されたボタン３７４，保存と表示されたボタン３７５、終了と表示されたボタン３７６、および条件設定と表示されたボタン３７７を実線で表示する。すなわち、複像検査処理部１７２は、これらのボタン３７３乃至３７７を選択可能な状態とする。
【００７５】
ステップＳ４０において、複像検査処理部１７２は、検査結果表示が指令されたか否かを判定する。ステップＳ３９の処理の後、表示部１５６に表示された、結果表示と表示されたボタン３７３が、検者により選択された場合、複像検査処理部１７２は、検査結果表示が指令されたと判定する。検査結果表示が指令されたと判定された場合、ステップＳ４１において、複像検査処理部１７２は、表示部１５６に、検査結果表示オプションを表示させる。表示部１５６はこのとき、図１２に示されるように、画面に検査結果表示オプションを表示する。
【００７６】
図１２においては、被検者により指定された（クリックされた）１番目乃至９番目の検査データに対する位置が、バツ印で表示された点４０１乃至４０９として表示されている。すなわち、１番目乃至９番目のターゲットの位置に対する、被検者からの操作入力によって指定されたポインタの位置が表示されている。また、（検査）結果表示オプション４４０として、検査側を選択するオプションボタン４５１、連結線の有無を選択するオプションボタン４６１、およびＯＫと表示されたボタン４７１が表示されている。検者は、オプションボタン４５１により、右眼と左眼のいずれかを選択し、オプションボタン４６１により連結線の有無を選択する。また、検者は、ボタン４７１をクリック（具体的には、操作入力部２０１としてのマウス５１でクリック）することで、結果表示オプションの（パラメータの）設定を決定する。
【００７７】
ステップＳ４２において、操作入力部１５１は、図１２の表示部１５６に表示された検査結果表示オプション４４０の設定の入力を受け付け、これを、主制御部１５２を介してパラメータ処理部１７１に供給する。パラメータ処理部１７１は、上述したステップＳ３１で受け付けたようなパラメータの他、このような表示オプションについてもパラメータとして保持し、処理する。
【００７８】
ステップＳ４３において、表示部１５６は、検査結果を表示する。具体的には、複像検査処理部１７２が、ステップＳ４２の処理で受け付けた表示オプション設定の入力に基づいて、検査結果を表示する。例えば、図１２の結果表示オプション４４０で、検査側として左眼が設定され、連結線として「あり」が選択された場合、表示部１５６は、図１３に示されるような検査結果を表示する。この検査結果の画面データは、複像検査処理部１７２により生成される。
【００７９】
図１３には、図８のステップＳ３４の処理で生成された９カ所の検査データに対応するカ所のターゲットの位置である四角枠４１１乃至４１９と、それぞれのターゲットに対して指定されたポインタの位置を示すバツ印により示される点４０１乃至４０９が表示されている。また、バツ印により示される点４０１乃至４０９が線で結ばれている（連結線となっている）。このように、表示部１５６に、被検者の操作によって移動するポインタで位置を指定するための目標となるターゲットの位置と、被検者からの操作入力によって指定されたポインタの位置との関係を示す画像を表示させることで、検者は、容易に検査の結果を見ることができる。また、検査結果を容易に判定することができる。さらに、定量的な検査を行うことができる。
【００８０】
ステップＳ４０において、結果表示が指令されなかったと判定された場合、またはステップＳ４３の処理の後、処理はステップＳ４４に進み、複像検査処理部１７２は、印刷が指令されたか否かを判定する。すなわち、表示部１５６に表示された、印刷と表示されたボタン３７５が、検者により選択された場合、複像検査処理部１７２は、印刷が指令されたと判定する。印刷が指令されたと判定された場合、ステップＳ４５において、複像検査処理部１７２は、検査結果のデータに基づく印刷するデータである印刷データ（例えば、印刷結果の画像データ、または印刷結果のテキストデータ）を印刷する。具体的には、複像検査処理部１７２は、印刷データを印刷データ送信部１６１（およびケーブル３５）を介してプリンタ３４に送信する。プリンタ３４は、印刷データに基づく画像（または文書）を紙に印刷し、出力する。
【００８１】
ステップＳ４５の処理により、例えば、図１４に示されるような画像が印刷される。図１４には、左眼の検査結果と右眼の検査結果のチャート５５１が表示されている。また、被検者のＩＤ、氏名、および検査日が表示されている。検者（眼科医）は、この印刷された紙を見て、検査結果を判断することができる。なお、勿論左右の眼の検査結果のチャートを別々の紙に印刷するようにしてもよい。
【００８２】
ステップＳ４４において、印刷が指令されなかったと判定された場合、またはステップＳ４５の処理の後、ステップＳ４６において、複像検査処理部１７２は、データの保存が指令されたか否かを判定する。すなわち、表示部１５６に表示された、保存と表示されたボタン３７５が、検者により選択された場合、複像検査処理部１７２は、検査データの保存が指令されたと判定する。検査データの保存が指令されたと判定された場合、ステップＳ４７において、複像検査処理部１７２は、検査結果のデータをファイルとして保存する。具体的には、複像検査処理部１７２は、検査結果のデータを例えば、CSV形式のファイルとして、主制御部１５２を介して、ファイル記憶部１５７に記憶させる。このとき、被検者ＩＤ、被検者氏名、検査日時などが検索のパラメータとして参照できるように、ファイルに付加されて保存される。また、このファイルには、被検者ＩＤ、被検者氏名、および検査日時の他、右眼／左眼、検査条件（全てのパラメータ）、検査結果のデータが含まれる。なお、このとき、被検者用検査装置３２のファイル記憶部２０５にも、バックアップとして記憶させるよう、ファイルのデータを送信する。これにより、万が一、検者用検査装置３１のファイル記憶部１５７に記憶されていたファイルが削除された場合においても、そのデータを読み出すことができる。
【００８３】
ステップＳ４６において、データの保存が指令されなかったと判定された場合、またはステップＳ４７の処理の後、処理は終了される。なお、図１２において、例えば、終了と表示されたボタン３７６が押下された場合においても、処理は終了される。その後、処理は、上述した図６のステップＳ１３に戻り、ステップＳ１１に進む。
【００８４】
図８と図９の処理により、複像検査の為の検査データが生成され、被検者用検査装置３２に送信され、表示される。そして、被検者用検査装置３２により入力された操作入力データが受信され、その結果が表示されたり、印刷されたり、ファイルとして保存される。これにより、被検者の操作したポインタの位置を、検者が見て手書きでプロットするのではなく、直接データとして読み込むことにより複像検査を行うことができる。
【００８５】
また、例えば、被検者が、左眼に緑色のレンズを付けており、右眼に赤色のレンズを付けている場合、検査する眼によってレンズの色を変更しなくても、表示部２０４に表示させるターゲット（四角い枠）と、ポインタ（丸い枠）の色を逆にするだけでよいので、検査の手間をより省くことができる。すなわち、複像検査処理部１７２がステップＳ３４の処理で、被検者や検査を行う眼に応じた検査データを生成するようにすることで、検査を迅速、かつ定量的に行うことができる。
【００８６】
なお、ステップＳ３６、ステップＳ３７の処理では、操作入力データを、クリックを示すデータ（ポインタの位置を指定する）として扱ったが、クリックを示すデータの他に、ポインタの移動を示すデータも合わせて操作入力データとして扱い、その操作入力データがポインタの移動を示すデータである場合には、そのデータに対応してポインタの位置を移動させて表示し、操作入力データがクリックを示すデータである場合には、そのデータに対応してクリックされた時点におけるポインタの位置（指定されたポインタの位置）に対応する箇所をバツ印で表示するようにしてもよい。
【００８７】
次に、図１５のフローチャートを参照して、図８と図９の処理に対応して行われる、図５の被検者用検査装置３２における検査処理について説明する。なお、この処理は、被検者用検査装置３２の検査用プログラムが起動されたとき開始される（実際には、このプログラムの起動は検者が行う）。
【００８８】
ステップＳ７１において、データ受信部２０６は、検査の為の検査データを受信する。この検査データは、例えば、図８のステップＳ３５で検者用検査装置３１により送信されたデータである。データ受信部２０６は、受信した検査データを、主制御部２０２に供給する。
【００８９】
ステップＳ７２において、表示部２０４は、検査データに基づく画像を表示する。具体的には、主制御部２０２は、検査データを表示制御部２０３に供給し、表示制御部２０３は、この検査データに基づく画像を表示部２０４に表示させるよう制御する。これに対し、表示部２０４は、図１６に示されるような画像を表示する。図１６において、表示部２０４には、灰色の背面に対し、被検者の操作入力部２０１への操作入力に対して動作する丸枠のポインタ６５１が表示されている。また、検査データに基づく四角い枠のターゲット６６１が表示されている。このターゲット６６１は、例えば、上述した図１３の四角い枠４１１に対応した場所に表示される。すなわち、図８の１回目のステップＳ３５の処理で送信される１番目の検査データに対応する四角い枠が、このターゲット６６１である。被検者は、この四角い枠のターゲット６６１にポインタ６５１が重なって見えた点でクリック（ポインタの位置を指定）する。上述したように、ポインタ（丸枠）６５１が四角い枠（ターゲット）６６１に重なった場合には、ポインタ６５１の図形（この場合、丸の形の図形）が四角い枠（ターゲット）６６１を囲むことになる。これにより、ターゲット（四角い枠）６６１に対するポインタ（丸枠）６５１の位置を精密に決定することができる。なお、具体的な例としては、操作入力部２０１が図２に示されるようなマウス５１であるので、被検者は、マウス５１を用いて、ポインタ６６１を移動させ、四角い枠６６１に重なった位置で（四角い枠（ターゲット）６６１をポインタ６５１の丸い枠で囲んだ位置で）クリックする。
【００９０】
ステップＳ７３において、操作入力部２０１は、被検者により操作が入力されたか否かを判定し、操作（例えば、クリックの操作）が入力されるまで待機する。ステップＳ７３において、被検者により操作が入力されたと判定された場合、ステップＳ７４において、操作入力部２０１は、被検者からの操作入力を受け付ける。
【００９１】
ステップＳ７５において、データ送信部２０７は、ステップＳ７４の処理で受け付けられた操作入力データ（例えば、クリックされた位置を示すデータ）を検者用検査装置３１に送信する。具体的には、操作入力部２０１が、ステップＳ７４の処理で受け付けた操作入力に基づく操作データを主制御部２０２に供給し、主制御部２０２は、これを検者用検査装置３１に送信するようデータ送信部２０７に指令し、データ送信部２０７は、操作入力データを送信する。
【００９２】
ステップＳ７６において、主制御部２０２は、検者用検査装置３１により終了が指令されたか否かを判定する。具体的には、主制御部２０２は、データ受信部２０６を介して検者用検査装置３１から終了を指令するデータが受信されたか否かを判定する。すなわち、この処理は上述した図８のステップＳ３９に対する処理であり、ステップＳ３９の処理が実行された場合にYESと判定される。ステップＳ７６において、終了が指令されないと判定された場合、ステップＳ７１に戻り、それ以降の処理を繰り返す。すなわち、次の検査データ（例えば、２番目の検査データ）を受信し、表示するとともに、それに対する操作入力のデータを送信する。ステップＳ７６において、終了が指令されたと判定された場合、処理は終了される。
【００９３】
図８、図９、および図１５の処理により、検者用検査装置３１と被検者用検査装置３２における複像検査処理が行われる。従来手動で検者がHessチャートを生成していたのに対し、被検者用検査装置３２にパラメータを入力し、指示するだけで、チャートが生成されるため、より、手間をかけずに検査を行うことができる。また、検査結果のデータを容易に印刷したり、ファイルとして保存することができる。さらに、パラメータや表示オプションを操作するだけで、検査の設定を変更することができる。換言すると、検査を迅速、かつ、定量的に行うことができる。
【００９４】
なお、図８、図９、および図１５の処理では、検査データが１番目乃至９番目の検査データとして送信されたが、これをまとめて送信するようにしてもよい。また、９カ所のデータとしたが、実際には、検査の場合により２５カ所の位置に対して検査を行うこともできる。これらは、パラメータの設定などにより適宜変更することができる。
【００９５】
次に、図１７のフローチャートを参照して、図４の表示部１５６に表示される図１３の条件設定と表示されたボタン３７８が検者により選択された場合の処理を説明する。この処理は、図８と図９の処理と平行して実行される処理であり、ボタン３７８が選択可能な状態（実線で示されている状態）、かつ、検者により選択された場合に実行される処理である。
【００９６】
ステップＳ９１において、操作入力部１５１は、条件設定の指令を受け付ける。具体的には、図１３の条件設定と表示されたボタン３７８を選択する操作入力を受け付ける。
【００９７】
ステップＳ９２において、表示部１５６は、図１８に示されるような条件設定画面を表示する。図１８の検査条件設定ボックス７００には、ターゲット呈示方法を選択するオプションボタン７１０、背景を選択するオプションボタン７２０、ターゲット輝度を選択するオプションボタン７３０、カーソル輝度を選択するオプションボタン７４０、ディスプレイの表示方法を選択するオプションボタン７５０、およびターゲットカーソルサイズを選択するオプションボタン７６０の他に、これらの全ての設定条件を保存する為の「はい」と表示されたボタン７７１、および条件を保存しない為の「いいえ」と表示されたボタン７７２が表示されている。
【００９８】
オプションボタン７１０では、ターゲットの呈示方法を、手動、自動、または全呈示の中から１つ選択することができ（例えば、ステップＳ３４乃至３８の処理のやり方を選択することができ）、オプションボタン７２０では、背景（例えば、図１６の表示部２０４の背景）として、明、中、または暗の中から１つ選択することができ、オプションボタン７３０では、ターゲット（例えば、図１６の四角い枠６６１）の輝度として、高、中、または低の中から１つ選択することができ、オプションボタン７４０では、カーソル（例えば、図１６のポインタ６５１）の輝度として、高、中、または低の中から１つ選択することができ、オプションボタン７５０では、ディスプレイの表示方法として、有効表示面積、最大表示解像度、眼−画面間距離を設定することができ、オプションボタン７６０では、ターゲットカーソルサイズ（例えば、図１６の四角い枠６６１のサイズ）として、大、中、または小の中から１つ選択することができる。
【００９９】
ステップＳ９３において、操作入力部１５１は、図１８に示される条件設定画面に対する検者からの操作入力を受け付け、ステップＳ９４において、条件設定画面に入力された条件を反映する。その後処理は終了される。
【０１００】
図１７の処理により、検者は、これらの条件を自由に設定することができる。また、即時にこれらの条件を反映させ、検査を続行して行うことができる。これらの条件は、上述した図９のステップＳ４７で保存されるファイルに、パラメータとして保存される。また、パラメータ処理部１７１は、これらのパラメータを、次回の検査時のパラメータとして保存しておくようにしてもよいし、同じ被検者については同じ条件で行うように、パラメータを保存しておくようにしてもよい。
【０１０１】
次に、図１９と図２０のフローチャートを参照して、図６のステップＳ１５の眼位検査処理について説明する。眼位検査は、左右の眼の位置が正常であるか否かを調べる為の検査であり、被検者の前方の被検者用検査装置３２の表示部２０４の所定の位置（例えば、表示部２０４の中心）に赤色の四角枠（ターゲット）を表示して、被検者にその枠を緑色の丸枠のポインタで（マウス５１を用いて）重なるように操作させることで行う。
【０１０２】
ステップＳ１２１において、操作入力部１５１は、検者からのパラメータの入力を受け付ける。例えば、眼位検査部１５４の眼位検査処理部１８２が、主制御部１５２および表示制御部１５５を介して表示部１５６に、図２１に示されるような画面を表示させる。
【０１０３】
図２１の表示部１５６の中央には、被検者用検査装置３２の操作入力部２０１を用いて被検者により操作されるポインタの画像や、ポインタで位置を指定するための目標となるターゲットの画像が示される枠（フィールド）８５０が表示されている。また、図２１の上部には、２００４年１月２１日と表示された検査日８５１、被検者ＩＤを入力する入力欄８５２、被検者氏名を入力する氏名欄８５３、および、確認と表示されたボタン８５４が表示されている。さらに、表示部１５６の左側には、検査する眼を選択する左眼、右眼と表示されたオプションボタン８６０、検査開始と表示されたボタン８７０、戻ると表示されたボタン８７１、検査中断と表示されたボタン８７２、結果表示と表示されたボタン８７３、印刷と表示されたボタン８７４、保存と表示されたボタン８７５、終了と表示されたボタン８７６、および条件設定と表示されたボタン８７７が表示されている。ボタン８５４,８７７は、現在検者によって選択できる項目であるので実線で表示されており、ボタン８７０乃至８７６は、現在検者によって選択できない項目であるので破線で表示されている。また、図中右側には、検査結果が表示される枠８８０、被検者の眼と画面間距離を入力する枠８８１、およびターゲットのＯＮ−ＯＦＦを切り替えるボタン８８２が表示されている。
【０１０４】
検者は、このステップＳ１２１で、被検者ＩＤ（例えば、ａａａ）の入力欄８５２、被検者氏名（例えば、山田一郎）の入力欄８５３、検査側のオプションボタン８６０の右眼または左眼（例えば、左眼）、および眼−画面間距離を入力する枠８８１にパラメータを入力し、確認と表示されたボタン８５４を選択するような操作入力を操作入力部１５１に対して行う。操作入力部１５１は、このパラメータの入力を受け付け、主制御部１５２を介して眼位検査部１５４のパラメータ処理部１８１に供給される。なお、眼−画面間距離は、パラメータとして毎回設定するものではなく、デフォルト値であってもよい。
【０１０５】
ステップＳ１２２において、パラメータ処理部１８１は、検者により必須パラメータが全て入力されたか否かを判定する。図２１の例の場合、入力欄８５２、８５３（被検者ＩＤと被検者氏名）、および検査側のオプションボタン８６０のチェックが必須パラメータであるので、パラメータ処理部１８１は、これらの必須パラメータが検者により全て入力されたか否かを判定する。必須パラメータが全て入力されていないと判定された場合、処理はステップＳ１２１に戻り、それ以降の処理が繰り返される。
【０１０６】
ステップＳ１２２において、必須パラメータが全て入力されたと判定された場合、眼位検査処理部１８２は、図２１の検査開始と表示されたボタン８７０を選択可能な状態とする（ボタン８７０を実線で表示する）。そして、ステップＳ１２３において、眼位検査処理部１８２は、検者により検査の開始が指令されたか否かを判定し、検査の開始が指令されるまで待機する。具体的には、被検者により、検査開始と表示されたボタン８７０が選択された場合、眼位検査処理部１８２は、検査者により検査の開始が指令されたと判定する。
【０１０７】
ステップＳ１２３において、検査の開始が指令されたと判定された場合（すなわち、ボタン８７０が選択されたと判定された場合）、ステップＳ１２４において、眼位検査処理部１８２は、検査の為の検査データを生成する。生成される検査データには、例えば、ターゲットの位置、色、および大きさを示すデータとターゲットの表示を指令するデータの他に、ポインタの色（大きさがふくまれてもよい）を示すデータが含まれている。ステップＳ１２５において、眼位検査処理部１８２は、ターゲットの位置を示すデータおよびターゲットの表示を指令するデータ、並びに、ポインタの色を示す検査データを、主制御部１５２を介して検査データ送信部１５９から送信する。なお、ステップＳ１２４の処理で生成される検査データは、あらかじめ眼位検査の為のデータとして生成され、記憶されているものであってもよい。また、検査データは、眼位検査処理部１８２が、パラメータ処理部１８１で処理されたパラメータに基づいて（被検者に特有の情報に基づいて）、新たに生成するデータであってもよい。さらに、この検査データは、条件設定処理（上述した図１７の処理）によって設定された条件に基づいて、生成されてもよい。例えば、検査データは、ターゲットを所定の位置に表示させるようなデータである。
【０１０８】
ステップＳ１２５で送信された検査データは、被検者用検査装置３２に受信され、検査データに基づく画像が表示される。すなわち、被験者用検査装置３２の表示部２０４は、背景を灰色とし、中心に赤色の四角枠をターゲットとして表示する（例えば、図１５のステップＳ７２）。
【０１０９】
ステップＳ１２６において、眼位検査処理部１８２は、検者によりＯＮが指令されたか否かを判定する。具体的には、眼位検査処理部１８２は、検者により操作入力部１５１を介してＯＮ−ＯＦＦボタン８８２がクリック（選択）された場合にＯＮが指令されたと判定する。ステップＳ１２６においてＯＮが指令されたと判定された場合、すなわち、ＯＮ−ＯＦＦボタン８８２がクリックされた場合、眼位検査処理部１８２は、ステップＳ１２７において、主制御部１５２を介して検査データ送信部１５９からポインタを表示させる指令（ＯＮの指令）を被検者用検査装置３２に送信する。
【０１１０】
これに対して、被検者用検査装置３２はこのＯＮの指令（ポインタを表示させる指令）を受信し、表示部２０４に指令に基づく画像（ポインタ）を表示する。例えば、表示部２０４は、ステップＳ１２５の処理に対応して背景を灰色とし、中心に赤色の四角枠をターゲットとして既に表示しているので、これに、ポインタを（ＯＮの指令に基づいて）さらに表示する。すなわち、ステップＳ１２７の処理の前には、表示部２０４にはターゲットの画像しか表示されていない。検者は、被検者に対して、四角枠（ターゲット）に丸枠（ポインタ（カーソル））が重なるように操作入力部２０１を操作し、重なった位置で操作入力２０１によりポインタをクリックするように指示を与える。これに対して、被検者は、前方にある表示部２０４に表示されたターゲット（四角枠）に、操作入力部２０１で操作可能なポインタ（丸枠）を重ねるように操作入力部２０１を操作し、重なった位置で操作入力部２０１をクリック（操作）する。この被検者により被検者用検査装置３２の操作入力部２０１に操作入力された操作入力データ（例えば、ポインタの動きを示すデータやクリックの動作を示すデータ）が、データ送信部２０７を介して検者用検査装置３１に供給される。すなわち、この場合、上述した図１５のステップＳ７３における「操作」は、クリックだけでなく、ポインタの動きの操作をも含む。
【０１１１】
そこで、ステップＳ１２８において、検査データ受信部１６０は、被検者用検査装置３２から操作入力データが送信されてきたか否かを判定し、送信されてくるまで待機する。被検者用検査装置３２から操作入力データが送信されてきたと判定された場合、処理はステップＳ１２９に進み、検査データ受信部１６０は、被検者用検査装置３２からの操作入力データを受信する。受信された操作入力データは、主制御部１５２を介して眼位検査処理部１８２に供給される。このとき、眼位検査処理部１８２は、この操作入力データに対する座標を、表示制御部１５５を介して表示部１５６に表示させる。例えば、表示部１５６は、図２２に示されるような画像を表示する。
【０１１２】
図２２には、上述したステップＳ１２１の処理で受け付けられたパラメータ（被検者ＩＤ、被検者指名、検査側、眼−画面間距離）がそれぞれ表示されている。また、被検者により操作されるポインタの位置が示される枠（フィールド）８５０には、上述した図１０と同様に、枠８５０の中にＲ（右）、Ｌ（左）、Ｕ（上）、Ｄ（下）を表す軸と、角度を示す数値が表示されている。また、枠８５０の中には、ポインタで位置を指定するための目標となるターゲットである四角い枠８９０と、被検者用検査装置３２の操作入力部２０１によって操作され、移動されるポインタ８９１が表示されている。このように、ターゲット（四角い枠）８９０と、被検者により操作されるポインタ（カーソル、丸枠）８９１が表示されるので、検者は、ターゲットに対する被検者のポインタ８９１の動きを見ることができる。この表示部１５６に表示されるポインタ８９１の位置は、被検者によるポインタの移動に合わせて移動する。すなわち、受信された操作入力データに基づいて、ポインタ８９１の位置は移動する。
【０１１３】
そこで、ステップＳ１３０において、眼位検査処理部１８２は、ステップＳ１２９の処理で受信した操作入力データがクリックを示すデータである（ポインタの移動を示すデータではない）か否かを判定する。ステップＳ１３０において、操作入力データがクリックを示すデータではないと判定された場合（ポインタの移動を示すデータであると判定された場合）、または、ステップＳ１２８において被験者用検査装置３２から操作入力データが送信されてこないと判定された場合、処理はステップＳ１２８に戻り、それ以降の処理が繰り返される。すなわち、ステップＳ１２８乃至ステップＳ１３０の処理は、被検者によりポインタが移動された場合、その移動に対応するデータが操作入力データとして受信されるとともに、表示が更新され、その処理は、被検者によりクリックの操作が行われるまで繰り返される。
【０１１４】
ステップＳ１３０において、被検者用検査装置２０１からの操作入力データがクリックであると判定された場合、ステップＳ１３１において、眼位検査処理部１８２は、検査の為のポインタの表示をＯＦＦするような指令データを送信する。これにより、被検者用検査装置３２の表示部２０４で表示されているポインタはＯＦＦされる（消される）。
【０１１５】
ステップＳ１３２において、眼位検査処理部１８２は、１回のステップＳ１２６乃至ステップＳ１３１の処理で取得された１回分の検査結果（検査データに基づくターゲットの位置に対するクリックされたカーソルの位置の座標）を、表示制御部１５５を介して表示部１５６に表示させる。例えば、図２２において、ポインタ８９１が消えて、ターゲット８９０と、クリックされた位置を示す×印（バツ印）が表示される。
【０１１６】
ステップＳ１３３において、眼位検査処理部１８２は、検査回数が設定回数に達したか否かを判定する。眼位検査では、例えば、左眼と右眼の検査回数がそれぞれ４回と設定されており、その回数に達したか否かが判定される。この設定回数は検者により設定されてもよいし、あらかじめ設定されていてもよい。ステップＳ１３３において、検査回数がまだ設定回数に達していないと判定された場合、処理はステップＳ１２６に戻り、それ以降の処理が繰り返される。例えば、設定回数が左眼４回、右眼４回と設定されていた場合、設定回数分検査が行われるまで処理が繰り返される。すなわち、ＯＮが指令され、クリックを示す操作入力データが受信され、その結果が表示される処理が繰り返される。
【０１１７】
なお、ステップＳ１３３の処理は、検査が全て終了したか否かを判定するものと等価である。具体的には、ステップＳ１３３のように、検査回数により判定するだけでなく、検者による操作入力部１５１への入力（例えば、検査中断ボタン８７２による検査終了を指令する入力）などにより終了を判定してもよい。
【０１１８】
なお、被検者用検査装置３２から操作入力データが送信されてこない場合、検者はＯＮ−ＯＦＦボタン８８２をクリックすることにより、強制的に被検者用検査装置３２の表示部１５６に表示されているポインタをＯＦＦ（消す）して、処理を進めるようにすることができる。
【０１１９】
ステップＳ１３３において、検査回数が設定回数に達したと判定された場合、ステップＳ１３４において、眼位検査処理部１８２は、被検者用検査装置３２に検査の終了を指令する。具体的には、眼位検査処理部１８２は、検査データ送信部１５９を介して、眼位検査処理部１８２による検査終了を指令するデータを被検者用検査装置３２に送信する。被検者用検査装置３２は、これを受信し、処理を終了する（図１５のステップＳ７６）。その後、表示部１５６は、眼位検査処理部１８２からの指令に基づいて、例えば、図２２のボタン８７３乃至８７７を実線で表示する。すなわち、これらのボタン８７３乃至８７７を選択可能な状態とする。
【０１２０】
なお、これ以降のステップＳ１３５乃至１４２の処理は、上述した図９のステップＳ４０乃至ステップＳ４７の処理と基本的に同様であるので、その詳細な説明は省略し、簡単に説明していく。
【０１２１】
ステップＳ１３５において、眼位検査処理部１８２は、検査結果表示が指令されたか否かを判定し、検査結果表示が指令されたと判定された場合、ステップＳ１３６において、眼位検査処理部１８２は、表示部１５６に、検査結果表示オプションを表示させる。眼位検査処理の場合、その検査結果を表示する為のオプションが適宜選択肢として表示される。
【０１２２】
ステップＳ１３７において、操作入力部１５１は、検査結果表示オプションの設定の入力を受け付け、これを、主制御部１５２を介してパラメータ処理部１８１に供給する。
【０１２３】
ステップＳ１３８において、表示部１５６は、検査結果を表示する。眼位検査の場合には、表示部１５６は、図２３に示されるような画面を表示する。なお、図中、図２２と対応する部分については繰り返しになるのでその説明は省略する。
【０１２４】
図２３の枠８５０の中には、被検者によりクリックされた位置、すなわち検査結果を示す×印が表示されている。×印の数は、上述した設定回数（この場合８個）であり、例えば、右眼の検査結果が赤色で表示され、左眼の検査結果が緑色で表示される。また、枠８８０の中には、ステップＳ１２６乃至ステップＳ１３３の処理の繰り返しによる検査結果が表示されている。この検査結果は、左から検査の回数、眼−画面間距離、検査を受ける眼の側を示すＬ（左）またはＲ（右）、および水平方向（横軸位置）、垂直方向（縦軸位置）をそれぞれ示している。水平方向の位置、垂直方向の位置は眼のずれを示す値であり、この値の絶対値が大きいほど、眼のずれが大きいことを示し、符号は「ズレ」の方向を示す。図２３の例の場合、１番目の行は、１回目の検査であり、眼−画面間距離が２５ｃｍであり、水平方向の位置が０．０であり、垂直方向の位置が０．６（すなわち、上側に０．６度）であることを示している。同様に、２番目の行は、２回目の検査であり、眼−画面間距離が２５ｃｍであり、水平方向の位置が−０．６（すなわち、Ｌ側に０．６度）であり、垂直方向の位置が０．６（すなわち上側に０．６度）であることを示している。換言すれば、この枠８８０の中には、検査が８回行われた、すなわち、ステップＳ１２６乃至１３３の処理が８回繰り返された結果が表示されている。このように、検査データに基づく画像に対する被検者からの操作入力の関係を示す画像および文字を表示部１５６に表示させることで、眼の検査を定量的に行うことができる。また、眼−画面間距離のパラメータに基づいて、表示部２０４に表示されるターゲットとポインタを変えるような検査データを生成することで、被検者はメガネのレンズの色の変更や移動を行う必要がなくなるため、より容易に検査を行うことができる。
【０１２５】
ステップＳ１３５において、結果表示が指令されなかったと判定された場合、またはステップＳ１３８の処理の後、処理はステップＳ１３９に進み、眼位検査処理部１８２は、印刷が指令されたか否かを判定する。例えば、表示部１５６に表示された、印刷と表示されたボタン８７４が、検者により選択されたか否かにより判定が行われる。印刷が指令された場合、ステップＳ１４０において、眼位検査処理部１８２は、検査結果のデータに基づく印刷するデータである印刷データ（例えば、印刷結果の画像データ、または印刷結果のテキストデータ）をプリンタ３４に印刷させる。
【０１２６】
ステップＳ１３９において、印刷が指令されなかったと判定された場合、またはステップＳ１４０の処理の後、ステップＳ１４１において、眼位検査処理部１８２は、データの保存が指令されたか否かを判定し、データの保存が指令されたと判定された場合、ステップＳ１４２において、眼位検査処理部１８２は、検査結果のデータをファイルとして保存する。具体的には、眼位検査処理部１８２は、検査結果のデータをファイルとして、主制御部１５２を介して、ファイル記憶部１５７に記憶させる。
【０１２７】
ステップＳ１４１において、データの保存が指令されなかったと判定された場合、またはステップＳ１４２の処理の後、処理は終了される。なお、図２３において、例えば、終了と表示されたボタン８７６が押下された場合においても、処理は終了される。その後、処理は、上述した図６のステップＳ１５に戻る。
【０１２８】
図１９と図２０の処理により、眼位検査の為の検査データが生成され、被検者用検査装置３２に送信され、表示される。そして、被検者用検査装置３２により入力された操作入力データが受信され、その結果が表示されたり、印刷されたり、ファイルとして保存される。これにより、検者による手書きではなく、被検者自身が操作したデータにより眼位検査を行うことができる。
【０１２９】
なお、この図１９と図２０に対応する被検者用検査装置３２における検査処理は、上述した図１５の処理と同様であるのでその説明は省略する。ただし、図１９のステップＳ１２５の処理に対して、図１５のステップＳ７１、ステップＳ７２の処理が実行された後、再び、図１９のステップＳ１２７の処理に対して、図１５のステップＳ７１、ステップＳ７２の処理が実行され、ステップＳ７３の処理に進む。すなわち、ステップＳ７１、ステップＳ７２の処理が、検査データとＯＮの指令に基づいてそれぞれ実行される。
【０１３０】
また、検者用検査装置３１における、眼位検査時の条件設定処理についても、上述した図１７の処理と同様であるのでその処理の説明は省略する。ただし、条件設定処理で設定される画面は、上述した図１８とは少し異なるので、図２４を用いて説明する。
【０１３１】
図２４は、上述した図１９と図２０の眼位検査処理と並行して実行される図１７の条件設定処理のステップＳ９２で表示部１５６に表示される画面例を示す図である。図２４の検査条件設定ボックス９００には、背景の輝度を選択するオプションボタン９１０、ターゲットカーソルサイズを選択するオプションボタン９２０、カーソル輝度を選択するオプションボタン９３０、ターゲット輝度を選択するオプションボタン９４０、および被検者側ディスプレイの表示方法を選択する為のオプションボタン９５０の他に、これらの全ての設定条件を保存する為の「はい」と表示されたボタン９７１、および条件を保存しない為の「いいえ」と表示されたボタン９７２が表示されている。
【０１３２】
オプションボタン９１０では、背景（例えば、表示部２０４の背景）として、明、中、または暗の中から１つ選択することができ、オプションボタン９２０では、ターゲットカーソルサイズ（例えば、図１６の四角い枠６６１に対応する眼位検査の場合のカーソルサイズ）として、大、中、または小の中から１つ選択することができ、オプションボタン９３０では、カーソル（例えば、図１６のポインタ６５１に対応する眼位検査の場合のカーソル）の輝度として、高、中、または低の中から１つ選択することができ、オプションボタン９４０では、ターゲット（例えば、図１６の四角い枠６６１に対応する眼位検査の場合のターゲット）の輝度として、高、中、または低の中から１つ選択することができ、オプションボタン９５０では、検者側のディスプレイの表示方法として、有効表示面積と最大表示解像度とを設定することができる。
【０１３３】
以上によれば、眼の検査の為の検査データが検者用検査装置３１により生成され、検査データに基づいて、被験者の操作によって移動するポインタで位置を指定するための目標となるターゲットとポインタとを含む画像であって、被検者の左眼にターゲットとポインタのうちのいずれか一方を見せ、他方を見せず、被験者の右眼に他方を見せ、一方を見せない画像が被検者用検査装置３２に表示され、被検者からのポインタの位置を指定する操作入力が被検者用検査装置３２により受け付けられ、ターゲットの位置と、受け付けられた操作入力によって指定されたポインタの位置との関係を示す文字（例えば、図２３の枠８８０）または画像（例えば、図１３の枠３５０または図２３の枠８５０）が被検者用検査装置３２に表示されるので、検者は、迅速に検査結果を知るとともに、定量的な検査を行うことができる。すなわち、迅速に、かつ、定量的な検査結果を得ることができる。
【０１３４】
また、検者は、被検者により示された点を手書きで書き留める必要もなく、迅速、かつ、容易に検査を行うことができる。さらに、検査結果のまとめ表示についても、例えば、被検者が操作入力した点の連結線を手書きで引く必要もないため、検査時間を短縮することができる。
【０１３５】
さらに、複像検査と眼位検査の２つの検査を１台の検査システムで行うことができるため、検査装置を縮小化することができる。
【０１３６】
また、検者用検査装置３１は、眼の検査の為のパラメータを受け付け、受け付けたパラメータに基づいて検査データを生成するので、検査のパラメータ変更も容易に行うことができ、被検者に合わせた検査を迅速、かつ、容易に行うことができる。
【０１３７】
さらに、検者用検査装置３１は、眼−画面間距離のパラメータに基づいて、表示部２０４に表示されるターゲットとポインタを変えるような検査データを生成するため、被検者は表示部２０４に対する距離の移動を細かく行う必要がなくなり、より容易に検査を行うことができる。
【０１３８】
また、この眼科検査の項目は、上述した処理を実行するプログラムのインストールによっても実現できるので、複像検査と眼位検査の他に、さらに検査が増えた場合にも、その検査に対応するプログラムをインストールすれば容易に実現することができる。
【０１３９】
さらに、ターゲットの位置と指定されたポインタの位置との関係を示すデータ（検査結果のデータ）がファイルとして記憶されるため、被検者のＩＤなどに基づいて容易に検索することができ、もって、検査結果について、同一の被検者の経時的な変化を調べたり、複数の被検者間の比較や統計的なデータを得ることに利用することができる。
【０１４０】
また、被検者により示された点の座標は、検者用検査装置３１に取得され、表示されるので、被検者により示された点の座標を検者がデータとして入力するのと比較しても、より、手間をかけずに検査を行うことができる。
【０１４１】
さらに、被験者用検査装置３２の表示部２０４に表示されるターゲット６５０とポインタ６５１の色を反転させることにより、被検者は装着しているメガネのレンズの色を反転させずに検査を行うことができるので、より迅速に検査を行うことができる。
【０１４２】
なお、以上の例では、本発明を、図３の検査システム２０に適用した場合について説明したが、これに限らず、被検者が画面を見て、その結果を入力する為の、ディスプレイとポインティングデバイス、並びに検者が検査項目を設定する為の入力デバイスを備えたディスプレイなどからなる１つの装置についても、本発明を適用することができる。すなわち、図３の検査システム２０を構成する複数の装置ではなく、これらの複数の装置が１つの装置に搭載された検査装置においても、本発明を適用することができる。
【０１４３】
また、図２の検査システム２０では、検者用検査装置３１と被検者用検査装置３２を、イーサネット（登録商標）ケーブル３３で直接接続するようにしたが、検査する建物（例えば、病院内）のLAN（Local Area Network）などを介して接続するようにしてもよい。
【０１４４】
さらに、以上の例では、眼の検査の為のレンズを赤色のレンズと緑色のレンズとしたが、これは適宜変更するようにしてもよい。この場合、レンズの色にあわせて、表示部２０４に表示されるターゲットとポインタの色も変更される。また、レンズは眼の悪い人の為に度数付きのものであってもよい。
【０１４５】
また、以上の例では、眼の検査の為に被検者に色付きのレンズ（カラーフィルタの眼鏡）を装着させるようにして検査を行うと説明したが、これに限らず、ターゲットを左右の眼のうちのいずれか一方の眼に見えるようにし、ポインタを他方の眼に見えるようにする構成であればよい。
【０１４６】
具体的な例としては、右と左の偏向の方向が異なる偏光フィルタを用いたメガネを被検者に掛けさせることで、左眼でターゲットとポインタのいずれか一方を見せ、右眼で他方を見せさせるようにする方法であってもよいし、左右の眼に掛けたシャッター（例えば液晶シャッター）を交互に開閉して表示を同期させることで、左眼でターゲットとポインタのいずれか一方を見せ、右眼で他方を見せさせるようにする方法であってもよい。また、表示部に視差バリアを設け、表示部の隣り合った２点から発する２つの光の一方が左眼に入射し、他方が右眼に入射するようにした表示部（例えば、３次元液晶ディスプレイ）を用いることで、左眼でターゲットとポインタのいずれか一方を見せ、右眼で他方を見せさせるようにする方法であってもよい。それらのいずれの方法を用いても、被検者に、左眼でターゲットとポインタのいずれか一方を見せ、右眼で他方を見せさせるようにすることができるので、検査用検査装置３１が、被検者用検査装置３２の表示部２０４にターゲットとポインタを表示させ、被検者による操作入力部２０１への操作（ターゲットにポインタが重なるような操作）に対するポインタの移動に基づく操作データを取得することにより検査を行うことができる。
【０１４７】
なお、本実施の形態では、被検者ＩＤ、被検者氏名、ディスプレイの有効表示面積、および最大表示解像度などの必修パラメータは、図６のステップＳ１３、ステップＳ１５，ステップＳ１７の中の処理で入力しているが、これらは、初期画面を表示するステップＳ１１に続いて入力するようにしてもよい。
【０１４８】
また、以上の例では、検者用検査装置３１と被検者用検査装置３２をそれぞれ図３に示されるようなパーソナルコンピュータとしたが、実際には、例えば、組込型コンピュータであってもよい。
【０１４９】
なお、ターゲットとポインタの形は、四角や丸に限らず、どのような形であってもよい。
【０１５０】
上述した一連の処理は、ハードウエアにより実行させることもできるし、ソフトウエアにより実行させることもできる。一連の処理をソフトウエアにより実行させる場合には、そのソフトウエアを構成するプログラムが、ネットワークや記録媒体からインストールされる。
【０１５１】
この記録媒体は、図３に示されるように、コンピュータとは別に、ユーザにプログラムを提供するために配布される、プログラムが記録されているリムーバブルメディア１０１よりなるパッケージメディアにより構成されるだけでなく、装置本体に予め組み込まれた状態でユーザに提供される、プログラムが記録されているROM８２や記憶部８８が含まれるハードディスクなどで構成される。
【０１５２】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０１５３】
【図１】従来の複像検査を説明する図である。
【図２】本発明を適用した検査システムの構成を説明する図である。
【図３】図２の検者用検査装置の詳細な構成例を説明するブロック図である。
【図４】図２の検者用検査装置の機能的構成例を示すブロック図である。
【図５】図２の被検者用検査装置の機能的構成例を示すブロック図である。
【図６】図４の検者用検査装置における検査処理を説明するフローチャートである。
【図７】図４の表示部に表示される初期画面の例を説明する図である。
【図８】図６のステップＳ１３の複像検査処理を説明するフローチャートである。
【図９】図６のステップＳ１３の複像検査処理を説明するフローチャートである。
【図１０】図４の表示部に表示される複像検査の画面例を説明する図である。
【図１１】図４の表示部に表示される複像検査の画面例を説明する図である。
【図１２】図４の表示部に表示される複像検査の画面例を説明する図である。
【図１３】図４の表示部に表示される複像検査の画面例を説明する図である。
【図１４】複像検査の結果を印刷した場合の例を説明する図である。
【図１５】図８と図９の処理に対する被検者用検査装置における検査処理を説明するフローチャートである。
【図１６】図５の表示部に表示される複像検査の画面例を説明する図である。
【図１７】図８と図９の処理として行なわれる条件設定処理を説明するフローチャートである。
【図１８】図４の表示部に表示される複像検査の画面例を説明する図である。
【図１９】図６のステップＳ１５の眼位検査処理を説明するフローチャートである。
【図２０】図６のステップＳ１５の眼位検査処理を説明するフローチャートである。
【図２１】図４の表示部に表示される眼位検査の画面例を説明する図である。
【図２２】図４の表示部に表示される眼位検査の画面例を説明する図である。
【図２３】図４の表示部に表示される眼位検査の画面例を説明する図である。
【図２４】図４の表示部に表示される眼位検査の画面例を説明する図である。
【符号の説明】
【０１５４】
２０  検査システム
３１  検者用検査装置
３２  被検者用検査装置
３４  プリンタ
５１  マウス
１５１  操作入力部
１５３  複像検査部
１５４  眼位検査部
１５６  表示部
１５７  ファイル記憶部
１５８  ファイル検索部
１７１  パラメータ処理部
１７２  複像検査処理部
１８１  パラメータ処理部
１８２  眼位検査処理部
２０１  操作入力部
２０４  表示部
【要約】
【課題】  眼科検査を容易に行うことができるようにする。
【解決手段】  検者用検査装置３１は、検者の指令に基づいて、眼科検査を行う為の検査データを生成し、ケーブル３３を介して被検者用検査装置３２に送信する。被検者用検査装置３２は、受信した検査データに基づいてターゲットとポインタを表示部に表示する。被検者は、被検者用検査装置３２の表示部に表示されたターゲットにポインタを重ねるようにマウス５１に対して操作を入力する。被検者用検査装置３２は、被検者からの操作入力により指定されたポインタの位置を示すデータを検者用検査装置３１に送信し、検者用検査装置３１は、ターゲットの位置とポインタの位置との関係を示す文字または画像を表示部に表示する。また、検者用検査装置３１は、検査結果をファイルとして保存したり、プリンタ３４で印刷する。本発明は、複像検査や眼位検査に適用することができる。
【選択図】図２
【図１】
0003587468.tif 000002
【図２】
0003587468.tif 000003
【図３】
0003587468.tif 000004
【図４】
0003587468.tif 000005
【図５】
0003587468.tif 000006
【図６】
0003587468.tif 000007
【図７】
0003587468.tif 000008
【図８】
0003587468.tif 000009
【図９】
0003587468.tif 000010
【図１０】
0003587468.tif 000011
【図１１】
0003587468.tif 000012
【図１２】
0003587468.tif 000013
【図１３】
0003587468.tif 000014
【図１４】
0003587468.tif 000015
【図１５】
0003587468.tif 000016
【図１６】
0003587468.tif 000017
【図１７】
0003587468.tif 000018
【図１８】
0003587468.tif 000019
【図１９】
0003587468.tif 000020
【図２０】
0003587468.tif 000021
【図２１】
0003587468.tif 000022
【図２２】
0003587468.tif 000023
【図２３】
0003587468.tif 000024
【図２４】
0003587468.tif 000025